(57)【要約】【課題】点灯時の見栄えを変化させずに非点灯時の見栄えを向上させる。【解決手段】前方に光を照射する灯具２は、光源２０と、光源２０の照射領域に配設され、この光源２０から出射される光を前方へ照射する導光レンズ３とを備える。導光レンズ３は、光源２０から出射される光を当該導光レンズ３内に入射させる第１入射面３００と、当該導光レンズ３の後面に設けられ、第１入射面３００から入射し後方へ内部反射された光を前方へ内部反射させる前方反射面３３と、当該導光レンズ３の前面のうち、前方反射面３３の前方に位置する部分に設けられ、前方反射面３３で内部反射された光を導光レンズ３の前方へ出射させる出射面３４と、を有する。灯具２は、導光レンズ３の後方に配設されて、当該導光レンズ３の後面に対向する有色のエクステンション４を備える。【選択図】図２
2014154524.tif 000002
【特許請求の範囲】
【請求項１】
前方に光を照射する灯具において、
光源と、
前記光源の照射領域に配設され、この光源から出射される光を前方へ照射する導光レンズとを備え、
前記導光レンズは、
前記光源から出射される光を当該導光レンズ内に入射させる入射面と、
当該導光レンズの後面に設けられ、前記入射面から入射し後方へ内部反射された光を前方へ内部反射させる前方反射面と、
当該導光レンズの前面のうち、前記前方反射面の前方に位置する部分に設けられ、前記前方反射面で内部反射された光を当該導光レンズの前方へ出射させる出射面と、
を有し、
当該灯具は、
前記導光レンズの後方に配設されて、当該導光レンズの前記後面に対向する有色のエクステンションを備えることを特徴とする灯具。
【請求項２】
請求項１に記載の灯具において、
前記光源は、
当該灯具の前後方向に略直交する向きに配設されており、
前記導光レンズは、
前記入射面の対向部分に設けられ、前記入射面から当該導光レンズ内に入射した光を、前記灯具の後方へ内部反射させる第１の側方反射面と、
当該導光レンズの後面のうち、前記第１の側方反射面の後方に位置する部分に設けられ、前記第１の側方反射面で内部反射された光を、前記前後方向と略直交する直交方向へ内部反射させて前記前方反射面に入射させる第２の側方反射面と、
を有し、
前記入射面は、
前記光源から出射される光を平行光にしつつ、当該導光レンズ内に入射させ、
前記前方反射面は、
前記導光レンズの後面のうち、前記前後方向に対して前記第２の側方反射面の側方に位置する部分に設けられ、前記入射面から入射して前記第１の側方反射面及び前記第２の側方反射面で内部反射された光を当該灯具の前方へ内部反射させることを特徴とする灯具。
【請求項３】
請求項２に記載の灯具において、
前記光源の光軸方向と、前記直交方向とは略直交することを特徴とする灯具。
【請求項４】
請求項３に記載の灯具において、
前記光軸方向は、当該灯具の上下方向であり、
前記直交方向は、当該灯具の左右方向であることを特徴とする灯具。
【請求項５】
請求項１〜４の何れか一項に記載の灯具において、
前記出射面には、光を屈折させるためのレンズカットが施されていることを特徴とする灯具。
【発明の詳細な説明】
【技術分野】
【０００１】
本発明は、灯具に関する。
【背景技術】
【０００２】
従来、車両などの灯具として、図３に示すような灯具１００が用いられている（例えば特許文献１，２参照）。
この灯具１００は、図３（ｃ）に示すように、下側に向けて配設された光源１０１の下方に、導光レンズ１０２を備えている。
【０００３】
導光レンズ１０２は、光源１０１から出射された光を配光制御しつつ前方へ照射するものであり、入射面１０５、第１の側方反射面１０６、第２の側方反射面１０７、前方反射面１０８及び出射面１０９を有している。
【０００４】
このうち、入射面１０５は、図３（ｃ）に示すように、導光レンズ１０２の上面のうち、左右方向の中途部分に凸面状に設けられている。この入射面１０５は、光源１０１から出射された光を平行光にして導光レンズ１０２内に入射させるようになっている。
【０００５】
第１の側方反射面１０６は、図３（ｂ），（ｃ）に示すように、導光レンズ１０２の下面のうち、入射面１０５の下方に設けられている。この第１の側方反射面１０６は、光源１０１の光軸Ａｘを含み前後方向に直交する平面に対し４５度の角度で前後方向に傾斜した前後一対の平面であり、入射面１０５から導光レンズ１０２内に入射した光を、光源１０１の光軸Ａｘを境に前後方向の両側へ内部反射させるようになっている。
【０００６】
第２の側方反射面１０７は、導光レンズ１０２の後面のうち、第１の側方反射面１０６の後方に設けられている。この第２の側方反射面１０７は、光軸Ａｘを含み左右方向に直交する平面に対し４５度の角度で左右方向に傾斜した左右一対の平面であり、第１の側方反射面１０６で後方に内部反射された光を、光源１０１の光軸Ａｘを境に左右方向の両側へ内部反射させるようになっている。
【０００７】
前方反射面１０８は、導光レンズ１０２の後面のうち、一対の第２の側方反射面１０７を挟んだ左右両側部分にそれぞれ設けられている。これら前方反射面１０８は、光軸Ａｘから左右方向へ離れるにつれて前方に位置するように傾斜して形成された左右一対の平面であり、第２の側方反射面１０６で左右方向へ内部反射された光を、前方へ内部反射させるようになっている。
【０００８】
出射面１０９は、導光レンズ１０２の前面に設けられている。この出射面１０９は、前後方向に交差する平面状や曲面状に形成されており、前方反射面１０８で内部反射された光を通過させ前方へ出射するようになっている。図３（ａ），（ｂ）に示すように、この出射面１０９には、出射光を左右方向へ拡散させるためのレンズカット１０９ａが設けられている。
【０００９】
ところで、導光レンズ１０２は後面の第２の側方反射面１０７や前方反射面１０８によって光を内部反射させるようになっているため、後面で空隙に接している。
【００１０】
そのため、このような灯具１００では、図３（ｂ）に示すように、非点灯時に外部の光が出射面１０９から内部に入った場合に（図中の矢印Ｍ１参照）、その一部の光が第２の側方反射面１０７や前方反射面１０８を透過して車体内側へ抜け（図中の矢印Ｍ２参照）、他の一部の光が第２の側方反射面１０７や前方反射面１０８で内部反射して出射面１０９から外部に出射されることとなる（図中の矢印Ｍ３参照）。
【先行技術文献】
【特許文献】
【００１１】
【特許文献１】特開２００６‐３３９１２１号公報
【特許文献２】特開２０１０‐２２５３８８号公報
【発明の概要】
【発明が解決しようとする課題】
【００１２】
しかしながら、外部から灯具１００内に入った光が内部反射して出射面１０９から出射されると、出射光の色は外部からの光の色と同じになるため、見栄えが単調になってしまう。例えば外部から灯具１００内に自然光が入ると、灯具１００は白色に光って見える。この点、例えば導光レンズ自体を着色することも考えられるが、この場合には、灯具１００を点灯させたときの出射光の色が導光レンズの色になってしまうため、光源１０１の色の出射光を灯具１００から出射させることができない。
【００１３】
そのため、近年、灯具の点灯時の見栄えを変化させずに非点灯時の見栄えを向上させて欲しいとの要望が高まっている。
【００１４】
本発明は、上記課題を解決するためになされたもので、点灯時の見栄えを変化させずに非点灯時の見栄えを向上させることのできる灯具の提供を目的とする。
【課題を解決するための手段】
【００１５】
上記課題を解決するために、請求項１に記載の発明は、前方に光を照射する灯具において、
光源と、
前記光源の照射領域に配設され、この光源から出射される光を前方へ照射する導光レンズとを備え、
前記導光レンズは、
前記光源から出射される光を当該導光レンズ内に入射させる入射面と、
当該導光レンズの後面に設けられ、前記入射面から入射し後方へ内部反射された光を前方へ内部反射させる前方反射面と、
当該導光レンズの前面のうち、前記前方反射面の前方に位置する部分に設けられ、前記前方反射面で内部反射された光を当該導光レンズの前方へ出射させる出射面と、
を有し、
当該灯具は、
前記導光レンズの後方に配設されて、当該導光レンズの前記後面に対向する有色のエクステンションを備えることを特徴とする。
【００１６】
請求項２に記載の発明は、請求項１に記載の灯具において、
前記光源は、
当該灯具の前後方向に略直交する向きに配設されており、
前記導光レンズは、
前記入射面の対向部分に設けられ、前記入射面から当該導光レンズ内に入射した光を、前記灯具の後方へ内部反射させる第１の側方反射面と、
当該導光レンズの後面のうち、前記第１の側方反射面の後方に位置する部分に設けられ、前記第１の側方反射面で内部反射された光を、前記前後方向と略直交する直交方向へ内部反射させて前記前方反射面に入射させる第２の側方反射面と、
を有し、
前記入射面は、
前記光源から出射される光を平行光にしつつ、当該導光レンズ内に入射させ、
前記前方反射面は、
前記導光レンズの後面のうち、前記前後方向に対して前記第２の側方反射面の側方に位置する部分に設けられ、前記入射面から入射して前記第１の側方反射面及び前記第２の側方反射面で内部反射された光を当該灯具の前方へ内部反射させることを特徴とする。
【００１７】
請求項３に記載の発明は、請求項２に記載の灯具において、
前記光源の光軸方向と、前記直交方向とは略直交することを特徴とする。
【００１８】
請求項４に記載の発明は、請求項３に記載の灯具において、
前記光軸方向は、当該灯具の上下方向であり、
前記直交方向は、当該灯具の左右方向であることを特徴とする。
【００１９】
請求項５に記載の発明は、請求項１〜４の何れか一項に記載の灯具において、
前記出射面には、光を屈折させるためのレンズカットが施されていることを特徴とする。
【発明の効果】
【００２０】
請求項１に記載の発明によれば、導光レンズの後方に配設されて、当該導光レンズの後面に対向する有色のエクステンションが灯具に具備されるので、非点灯時に外部の光が出射面から内部に入った場合に、一部が前方反射面で内部反射して出射面から外部に出射され、他の一部が前方反射面を透過して車体内側へ抜けた後、エクステンションで反射して再び前方反射面を透過し、出射面から外部に出射されることとなる。そして、エクステンションは有色であるため、非点灯時に灯具から出射される光にはエクステンションの色が付加されることとなる。従って、エクステンションに任意の色を付けることにより、非点灯時の灯具の見栄えを向上させることができる。
また、エクステンションは導光レンズの後方に配設されて導光レンズの後面に対向しており、前方反射面は導光レンズの後面に設けられ、入射面から入射し後方へ内部反射された光を前方へ内部反射させるので、光源から出射される光はエクステンションに到達することなく、前方反射面で前方に内部反射されて出射される。従って、点灯時の出射光の色がエクステンションによって変化することがないため、点灯時の見栄えが変化してしまうのを防止することができる。
よって、点灯時の見栄えを変化させずに非点灯時の見栄えを向上させることができる。
【００２１】
請求項５に記載の発明によれば、出射面には、光を屈折させるためのレンズカットが施されているので、非点灯時の灯具から出射される光の色、つまりエクステンションの色で、出射面を顕著に着色することができる。従って、非点灯時の見栄えをいっそう向上させることができる。
【図面の簡単な説明】
【００２２】
【図１】車両用灯具ユニットを示す分解斜視図である。
【図２】灯具を示す図であり、（ａ）は正面図、（ｂ）は（ａ）のＡ−Ａ線断面図、（ｃ）は側面図である。
【図３】従来の灯具を示す図であり、（ａ）は正面図、（ｂ）は（ａ）のＡ−Ａ線断面図、（ｃ）は側面図である。
【発明を実施するための形態】
【００２３】
以下に、本発明を実施するための形態について図面を用いて説明する。但し、以下に述べる実施形態には、本発明を実施するために技術的に好ましい種々の限定が付されているが、発明の範囲を以下の実施形態及び図示例に限定するものではない。また、以下の説明において、「上」、「下」、「前」、「後」、「左」、「右」は、それぞれ、車両用灯具ユニットが装備された車両の「上」、「下」、「前」、「後」、「左」、「右」である。従って、後ろから前に見て（いわゆる運転手の視点で見て）、左右の向きを定める。
【００２４】
＜車両用灯具ユニットの構成＞
図１は、本実施形態における車両用灯具ユニット１を示す分解斜視図である。
この図に示すように、車両用灯具ユニット１は、アウターレンズ１０の後方（内側）に、左右方向に配列された３つの灯具２を有している。
【００２５】
図２に示すように、これらの灯具２は、左右方向に長尺で上下方向に短尺な正面視矩形状の灯具であり、前方に光を照射するようになっている。
各灯具２は、光源２０と、導光レンズ３と、エクステンション４とを備えている。
【００２６】
このうち、光源２０は、光を出射するものであり、本実施の形態においては、基板２００（図１参照）の下面に配設されたＬＥＤとなっている。この光源２０は、前後方向に略直交する向きに配設されており、本実施の形態においては、下向きに配設されている。なお、図２では、簡略化のため、基板２００の図示を省略している。
【００２７】
導光レンズ３は、光源２０から出射される光を灯具２の前方に向かって照射するものであり、光源２０の照射領域、つまり光源２０の下方に配設されている。
【００２８】
この導光レンズ３は、左右方向に長尺に形成されており、入射部３０、第１の側方反射面３１、第２の側方反射面３２、前方反射面３３及び出射面３４を備えている。
【００２９】
入射部３０は、光源２０の光軸Ａｘを回転対称軸として導光レンズ３の上面から上方へ突出する裁頭円錐状に形成されており、その上端には、上方へ開口する凹部３０ａが設けられている。
凹部３０ａの底部には、光軸Ａｘを回転対称軸として上方へ膨出する凸面状（非球面）の第１入射面３００が、光源２０と対向する位置に設けられている。この第１入射面３００は、その焦点付近に光源２０が位置するように形成されており、光源２０から下方へ出射した光のうち当該第１入射面３００に入射したものを、当該光源２０の光軸Ａｘの方向（以下、光軸方向とする）に略沿った平行光としつつ導光レンズ３内に入射させるようになっている。
凹部３０ａの内周面は、第２入射面３０１となっている。この第２入射面３０１は、光軸Ａｘを中心として光源２０の下方周囲を覆うように第１入射面３００の周縁部から上方へ立設された略円筒状の面であり、光源２０から出射した光のうち第１入射面３００よりも側方へ向かうものを導光レンズ３内に入射させるようになっている。
入射部３０の外周面は、第１反射面３０２となっている。この第１反射面３０２は、光軸Ａｘを中心として第２入射面３０１の先端（上端）から下方へ向かって外側（光軸Ａｘから遠い側）へ広がるように傾斜した略円筒状の面であり、第２入射面３０１から導光レンズ３内へ入射した光を、上下方向に略沿うように内部反射させて下方への平行光とするようになっている。
【００３０】
第１の側方反射面３１は、入射部３０から当該導光レンズ３内に入射した光を、灯具２の前方及び後方へ内部反射させる面である。
【００３１】
この第１の側方反射面３１は、光軸Ａｘを含み前後方向に直交する平面を境界面として対をなして形成されている。より具体的には、第１の側方反射面３１は、上述の境界面に対し４５度の角度で前後方向の両側へ個別に傾斜し、境界面から前後方向へ離れるにつれて下方に位置するよう形成されている。
【００３２】
以上の第１の側方反射面３１は、導光レンズ３の下面における入射部３０の対向部分に設けられている。
【００３３】
第２の側方反射面３２は、第１の側方反射面３１で内部反射された光の全体を、灯具２の前後方向と略直交する直交方向へ内部反射させる面である。ここで、この「直交方向」は、上下方向及び左右方向の何れであっても良いが、導光レンズ３の長尺方向と一致し、光軸方向（上下方向）と略直交することが好ましく、本実施の形態においては左右方向となっている。
【００３４】
この第２の側方反射面３２は、光軸Ａｘを含み左右方向に直交する平面を境界面として対をなして形成されている。より具体的には、側方反射面３１は、上述の境界面に対し４５度の角度で左右方向の両側へ個別に傾斜し、境界面から左右方向へ離れるにつれて後方に位置するよう形成されている。
【００３５】
以上の第２の側方反射面３２は、導光レンズ３の後面のうち、第１の側方反射面３１の後方に位置する部分に設けられている。
【００３６】
前方反射面３３は、入射部３０から入射し第２の側方反射面３２で内部反射された光の全体を前方へ内部反射させる面である。この前方反射面３３は、導光レンズ３の後面のうち、一対の第２の側方反射面１０７を挟んだ左右両側部分に対をなして設けられており、光軸Ａｘから左右方向へ離れるにつれて前方に位置するように傾斜して形成されている。なお、この前方反射面３３は、前後方向に対して第２の側方反射面３２の側方に位置する部分であれば、他の位置に設けられていても良く、例えば後面のうち第２の側方反射面３２の上下に位置する部分に設けられていても良い。
【００３７】
出射面３４は、前方反射面３３で内部反射された光を導光レンズ３の前方へ出射させる面であり、本実施の形態においては、前後方向に交差する曲面となっている。この出射面３４は、導光レンズ３の前面のうち、前方反射面３３の前方に位置する部分に設けられている。なお、本実施の形態における出射面３４には、導光レンズ３から出射される光を屈折させて左右方向に拡散させるためのレンズカット３４０が左右方向に複数施されている。
【００３８】
エクステンション４は、導光レンズ３の後方に配設された有色の板状部材である。このエクステンション４は、導光レンズ３の後面から離間した状態で、当該後面に対向している。
【００３９】
なお、本実施の形態においては、以上の灯具２は左右方向に３つ並ぶよう配設されており、これらの灯具２における導光レンズ３同士、エクステンション４同士は、それぞれ一体的に形成されている。
【００４０】
＜作用・効果＞
続いて、灯具２の作用効果について説明する。
【００４１】
まず、光源２０が点灯していない状態で、外部の光が出射面３４から灯具２の内部に入ると（図中の矢印Ｍ４参照）、その一部の光は第２の側方反射面３２や前方反射面３３で内部反射して出射面３４から外部に出射される（図中の矢印Ｍ５参照）。
【００４２】
また、このとき、出射面３４から灯具２の内部に入った光のうち、他の一部の光は、第２の側方反射面３２や前方反射面３３を透過して車体内側へ抜けた後、エクステンション４で反射して再び第２の側方反射面３２や前方反射面３３を透過し、出射面３４から外部に出射される（図中の矢印Ｍ６参照）。ここで、エクステンション４は有色であるため、エクステンション４で反射して出射面３４から外部に出射される光には、エクステンション４の色が付加されることとなる。
【００４３】
一方、光源２０が点灯すると、その光が入射部３０から導光レンズ３内に入射する。このとき、光源２０からの光は、光軸方向（上下方向）に略沿った平行光とされる。
【００４４】
次に、導光レンズ３内に入射した光は、一対の第１の側方反射面３１によって、前後方向の両側へ分岐するように内部反射される。
次に、第１の側方反射面３１によって後方に内部反射された光は、第２の側方反射面３２及び前方反射面３３によって前方へ内部反射される。ここで、エクステンション４は導光レンズ３の後方に配設されて導光レンズ３の後面に対向しており、第２の側方反射面３２や前方反射面３３は導光レンズ３の後面に設けられ、入射部３０から導光レンズ３に入射した光を前方へ内部反射させるので、光源２０から出射される光はエクステンション４に到達することなく、第２の側方反射面３２や前方反射面３３で前方に内部反射されることとなる。
【００４５】
そして、第１の側方反射面３１や前方反射面３３によって前方に内部反射された光は、出射面３４から出射され、灯具２の前方を照射する。
【００４６】
以上のように、灯具２によれば、光源２０の非点灯時に灯具２から出射される光にはエクステンション４の色が付加されることとなるため、エクステンション４に任意の色を付けることにより、非点灯時の灯具２の見栄えを向上させることができる。
また、光源２０から出射される光はエクステンション４に到達することなく、第２の側方反射面３２や前方反射面３３で前方に内部反射されて出射されるため、点灯時の出射光の色がエクステンション４によって変化することがない。従って、点灯時の見栄えが変化してしまうのを防止することができる。
よって、点灯時の見栄えを変化させずに非点灯時の見栄えを向上させることができる。
【００４７】
また、出射面３４には、光を屈折させるためのレンズカット３４０が施されているので、非点灯時の灯具２から出射される光の色、つまりエクステンション４の色で、出射面３４を顕著に着色することができる。従って、非点灯時の見栄えをいっそう向上させることができる。
【００４８】
なお、本発明は上記実施形態に限定して解釈されるべきではなく、適宜変更・改良が可能であることはもちろんである。
【００４９】
例えば、上記の実施形態においては、入射部３０は光源２０から出射される光を平行光にしつつ導光レンズ３に入射させることとして説明したが、平行光にせずに入射させることとしても良い。
【００５０】
また、導光レンズ３は第１の側方反射面３１及び第２の側方反射面３２を有することとして説明したが、これらを有しないこととしても良い。この場合には、入射部３０からの光を前方に内部反射させる前方反射面が、導光レンズ３の後面のうち、入射部３０の上方に位置する部分に設けられる。
【００５１】
また、光源２０は前後方向に略直交する向きに配設されていることとして説明したが、前方に向けて配設されることとしても良い。
【符号の説明】
【００５２】
２      灯具
３      導光レンズ
４      エクステンション
２０    光源
３１    第１の側方反射面
３２    第２の側方反射面
３３    前方反射面
３４    出射面
３００  第１入射面
３４０  レンズカット
【図１】
2014154524.tif 000003
【図２】
2014154524.tif 000004
【図３】
2014154524.tif 000005